(57)【要約】 【課題】  マルチドメインダイナミック駆動バックライトモジュールを提供する。【解決手段】  マルチドメインダイナミック駆動バックライトモジュールであって、ベゼル、前記ベゼル上に設置された反射板、複数の発光ユニット、及び導短辺側及び所定の方向に延伸した長辺側をそれぞれ有し、前記発光ユニットの前記光線射出方向に対応した入光面、前記入光面に隣接した発光面、及び前記発光面に相対し、前記反射板に接続された底面をそれぞれ含む複数の導光板を含み、それぞれの前記発光面は、前記発光ユニットの前記光線射出方向に平行した方向に延伸する複数のパターン化された構造を含むパターン化された表面を含むマルチドメインダイナミック駆動バックライトモジュール。【選択図】  図４
2013026225.tif 000002
【特許請求の範囲】
【請求項１】
マルチドメインダイナミック駆動バックライトモジュールであって、
ベゼル、
前記ベゼル上に設置された反射板、
複数の発光ユニット、及び
短辺側及び所定の方向に延伸した長辺側をそれぞれ有し、
前記発光ユニットの前記光線射出方向に対応した入光面、
前記入光面に隣接した発光面、及び
前記発光面に相対し、前記反射板に接続された底面をそれぞれ含む複数の導光板を含み、
それぞれの前記発光面は、前記発光ユニットの前記光線射出方向に平行した方向に延伸する複数のパターン化された構造を含むパターン化された表面を含むマルチドメインダイナミック駆動バックライトモジュール。
【請求項２】
それぞれの前記導光板は、前記発光面と前記底面との間に分布された複数の拡散粒子を含む請求項１に記載のマルチドメインダイナミック駆動バックライトモジュール。
【請求項３】
前記反射板の数は１つ以上であり、前記反射板は前記所定の方向で第１面上に配置される請求項１に記載のマルチドメインダイナミック駆動バックライトモジュール。
【請求項４】
前記反射板の少なくとも１つは、前記第１面から、前記ベゼルに相反する方向に第２面に延伸する延伸部を含む請求項３に記載のマルチドメインダイナミック駆動バックライトモジュール。
【請求項５】
前記延伸部は、前記隣接の導光板の間に設置される請求項４に記載のマルチドメインダイナミック駆動バックライトモジュール。
【請求項６】
それぞれの前記延伸部は、所定の方向で所定の長さ延伸する請求項５に記載のマルチドメインダイナミック駆動バックライトモジュール。
【請求項７】
複数のチャンバは、前記延伸部の１つと前記延伸部に隣接の他の反射板との間にそれぞれ定義され、前記発光ユニットのいくつかは前記チャンバ内に設置される請求項６に記載のマルチドメインダイナミック駆動バックライトモジュール。
【請求項８】
前記導光板の部分は前記チャンバ内に設置される請求項７に記載のマルチドメインダイナミック駆動バックライトモジュール。
【請求項９】
前記パターン化された構造は、複数のレンズ状突出を含み、前記複数のレンズ状突出は、前記所定の方向に平行した方向に延伸する請求項１に記載のマルチドメインダイナミック駆動バックライトモジュール。
【請求項１０】
複数のボルトを更に含み、前記ベゼルは、複数の位置決め孔を含み、前記ボルトは前記導光板、前記反射板、及び前記位置決め孔をそれぞれ通過して、前記導光板及び前記反射板をベゼル上に位置付けする請求項１に記載のマルチドメインダイナミック駆動バックライトモジュール。
【請求項１１】
前記導光板の前記発光面と対応する拡散板を更に含み、空隙（エアー  ギャップ(air gap)）が前記導光板と前記拡散板との間に形成される請求項１０に記載のマルチドメインダイナミック駆動バックライトモジュール。
【請求項１２】
前記発光ユニットは、複数のLEDを含み、
前記ボルトが設置された位置は、前記LEDが設置された位置と互いに交差される請求項１０に記載のマルチドメインダイナミック駆動バックライトモジュール。
【請求項１３】
前記ベゼルは、複数の位置決め孔を含み、前記導光板は、前記位置決め孔に対応する複数のスロットをそれぞれ含み、前記スロットは、前記導光板の前記入光面及び前記入光面に相対する側面上に設置される請求項１に記載のマルチドメインダイナミック駆動バックライトモジュール。
【請求項１４】
それぞれの前記スロットは、２つの短辺と前記２つの短辺の間に位置された長辺を有し、それぞれの前記スロットの長辺の製造公差は、それぞれの前記スロットの短辺の製造公差より大きい請求項１３に記載のマルチドメインダイナミック駆動バックライトモジュール。
【発明の詳細な説明】
【技術分野】
【０００１】
本発明は、バックライトモジュールに関し、特に、マルチドメインダイナミック駆動バックライトモジュールに関するものである。
【背景技術】
【０００２】
液晶ディスプレイ装置は、例えばLCD  TV及びコンピュータなど、既に全ての種類の電子装置に広く用いられている。その重要な利点は、低消費電力、低駆動電圧、及び軽量化と薄型化の可能性にある。しかしながら、液晶ディスプレイ装置の液晶ディスプレイパネルは、自己発光できないため、バックライトユニットと組み合わさって画面を照らさなければならない。
【０００３】
現在の技術では、発光ダイオード（LED）は、通常、完全な薄暗さ（fully  dim）または完全な明るさ（fully  bright）の方式で、液晶パネルのバックライト源となる。しかしながら、表示画面のコントラストを増加させるために、発光ダイオードは、画面が必要な明るさに合わせて局部的に調整されることができる。即ち、マルチドメインダイナミック駆動バックライト技術である。
【０００４】
図１を参照すると、図１は、従来技術のダイナミックバックライトモジュール１の概略図を表している。LED２０A、２０B、及び２０Cは、ベゼル１０の上、中、下の領域に設置され、導光板３０は、ベゼル１０の中央領域に設置される。画面A領域が画像を表示することを要求された時、LED２０Bは、オンにされ、LED２０A及び２０Cは、オフにされる。しかしながら、LEDの配光パターンは、導光板によって効果的に集光されることができないため、ファン形状に発光される領域がE領域に形成される。よって、領域を局部的に分けて光源を制御する要求は満たされることができない。
【発明の概要】
【発明が解決しようとする課題】
【０００５】
マルチドメインダイナミック駆動バックライトモジュールを提供する。
【課題を解決するための手段】
【０００６】
これに鑑みて、本発明の主な目的は、表示領域に設置された複数の発光ユニットが個別に制御され、その上にパターン化された表面を有する複数の導光板が発光ユニットに対応して従来技術の欠点を克服するバックライトモジュールを提供することである。
【０００７】
上述の目的を達成するために、本発明は、ベゼル、反射板、複数の発光ユニット、及び複数の導光板を含むマルチドメインダイナミック駆動バックライトモジュールを提供する。反射板はベゼル上に設置される。導光板は、短辺側及び所定の方向に延伸した長辺側をそれぞれ有し、それぞれの導光板は、入光面、発光面、底面を含む。発光面は、入光面に隣接し、底面は、発光面に相対し、反射板に接続される。入光面は、発光ユニットの光線射出方向に対応し、発光面は、パターン化された表面を含む。
【０００８】
それぞれの導光板のパターン化された表面は、発光ユニットの光線射出方向に平行した方向に延伸する複数のパターン化された構造を含む。１つの実施形態では、パターン化された構造は、発光ユニットの光線射出方向に延伸された複数のレンズ状突出を含む。また、導光板は、発光面と底面との間に分布された複数の拡散粒子を含む。
【０００９】
１つの実施形態では、反射板の数は１つ以上であり、第１面では、反射板は所定の方向に配置される。少なくともいくつかの反射板は、延伸部を含み、それぞれの延伸部は、第１面から、ベゼルに相反する方向（Z方向）に第２面に延伸する。延伸部は、導光板の間に設置され、所定の方向で所定の長さ延伸する。
【００１０】
複数のチャンバは、延伸部と隣接の反射板との間にそれぞれ定義され、発光ユニットはチャンバ内に設置され、導光板の部分はチャンバ内に設置される。
【００１１】
ベゼルは、複数の位置決め孔を更に含み、複数のボルトは導光板、反射板、及び位置決め孔をそれぞれ通過して、導光板及び反射板をベゼル上に位置付けし、その中のボルトが設置された位置は、LEDが設置された位置と互いに交差される。また、少なくとも１つの拡散板は、導光板の発光面と対応するボルト上に設置され、空隙がその間に形成される。
【００１２】
１つの実施形態では、ベゼルは、複数の位置決め孔を含み、導光板は、位置決め孔に対応する複数のスロットをそれぞれ含み、スロットは、導光板の入光面及び入光面に相対する側面上に設置される。スロットの各々は２つの短辺と２つの短辺の間に位置する長辺とを有する。それぞれのスロットの長辺の製造公差は、それぞれの短辺の製造公差より大きい。
【００１３】
本発明のマルチドメインダイナミック駆動バックライトモジュールは、表示領域に設置された複数の発光ユニットを含み、そこから射出された光線は、導光板の発光面に設置されたパターン化された構造によって集光され、高いコントラスト比と高いグレイレベルを有するマルチドメインダイナミック駆動のディスプレイを設計する目的が達成されることができる。
【図面の簡単な説明】
【００１４】
本発明は、添付の図面と併せて後に続く詳細な説明と実施例を解釈することによって、より完全に理解されることができる。
【図１】従来のマルチドメインダイナミック駆動バックライトモジュールの概略図を表している。
【図２】本発明の実施形態１に基づくマルチドメインダイナミック駆動バックライトモジュールの上面図を表している。
【図３】本発明の実施形態１に基づくマルチドメインダイナミック駆動バックライトモジュールの一部の概略図を表している。
【図４】図２のY方向に沿って観察されたa−a断面の断面図を表している。
【図５】図２のM領域の構成要素の分解図を表している。
【図６Ａ】本発明の導光板の断面図を表している。
【図６Ｂ】本発明の導光板の断面図を表している。
【図６Ｃ】本発明の導光板の断面図を表している。
【図７】図４のb領域の構成要素の拡大図を表している。
【図８】本発明の実施例２に基づくマルチドメインダイナミック駆動バックライトモジュールの断面図を表している。
【図９】本発明の実施例３に基づくマルチドメインダイナミック駆動バックライトモジュールの部分的構成要素の概略図を表している。
【発明を実施するための形態】
【００１５】
以下の説明は、本発明を実施するベストモードが開示されている。この説明は、本発明の一般原理を例示する目的のためのもので本発明を限定するものではない。本発明の範囲は、添付の請求の範囲を参考にして決定される。
【００１６】
図２〜４を参照すると、図４は、図２のY方向に沿って観察されたa−a断面の断面図を表している。説明のために、拡散板１６０は、図２では省略され、ベゼル１１０、反射板１２０と１２０’、及び発光ユニット１３０L、１３０Mと１３０Rが図３に表され、中央領域Ｒ２の反射板１２０は、第１部分１２２aによって表される。
【００１７】
本願の実施例１のマルチドメインダイナミック駆動バックライトモジュール１００は、ベゼル１１０、複数の反射板１２０と１２０’、複数の発光ユニット１３０L、１３０Mと１３０R、複数の導光板１４０、複数のボルト１５０、及び複数の拡散板１６０を含む。
【００１８】
反射板１２０と１２０’は、バックライトモジュール１００の光均一性を増加させるアルミニウムまたはアルミニウムベースの合金から成る材料でできていることが好ましい。２つの反射板１２０と１つの反射板１２０’は、所定の方向（X方向）でベゼル１１０の底面１１２上に連続して配置される。
【００１９】
１つの例示的な実施形態では、上述の反射板１２０と１２０’の数は３つであり、それらは、図２の下方部から図２の上方部に順次に、マルチドメインダイナミック駆動バックライトモジュール１００の下方領域Ｒ１、中央領域Ｒ２、及び上方領域Ｒ３に設置される。即ち、バックライトモジュール１００は、６つの反射板１２０と３つの反射板１２０’（図３）を含む。
【００２０】
それぞれの反射板は、ベース部１２１及び延伸部１２２を有し、ベース部１２１の底面は、ベゼル１１０の底面１１２に接続され（後に詳述する）、第１面１７０に延伸する（図４）。第１面１７０から、延伸部１２２はベゼル１１０に相反する方向（Z方向）に第２面１８０に延伸し（図４）、第２面上でX方向に向けて所定の長さL、更に延伸する。１つの例示的な実施形態では、所定の長さLは、５mmであるがこれに限定するものではない。
【００２１】
具体的に言うと、それぞれの延伸部１２２は、第１部分１２２aと第２部分１２２bを含み、第１部分１２２aは、ベース部１２１に接続され、第２部分１２２bは、第１部分１２２aの上端に接続され、Ｘ方向に向けて所定の長さＬ、延伸する。チャンバSは、延伸部１２２の第２部分１２２bと延伸部１２２に隣接する反射板１２０または１２０’との間に形成される。反射板１２０’の機能と設置方法は、反射板１２０と同様であるが反射板１２０に比べ延伸部１２２が欠ける。
【００２２】
１つの例示的な実施形態では、それぞれの発光ユニット１３０L、１３０Mと１３０Rは、基板１３１及び複数のLED１３２をそれぞれ含む。基板１３１は、マルチドメインダイナミック駆動バックライトモジュール１００の下方領域Ｒ１、中央領域Ｒ２、及び上方領域Ｒ３でLED１３２のスイッチを個別に制御するのに用いられる回路板である。発光ユニット１３０Lは、ベゼル１１０の短辺側１１１の内側面に設置され（後に詳述される）、発光ユニット１３０Mと発光ユニット１３０Rは、チャンバSに設置される。具体的に言えば、発光ユニット１３０Mと発光ユニット１３０Rは、反射板１２０の延伸部１２２の第１部分１２２aの側壁にそれぞれ設置される。発光ユニット１３０L、１３０Mと１３０Rは、光を所定の方向（X方向）に向けて放射する。
【００２３】
図４〜５及び６Aを参照すると、図５は、図２のM領域の構成要素の分解図を表しており、図６Aは、本発明の実施例１に基づく導光板１４０の断面図である。導光板１４０は、反射板１２０及び１２０’上に設置され、それぞれの導光板１４０は、入光面１４１、発光面１４２、底面１４３、２つの長辺側１４４、２つの短辺側１４５、及び複数の拡散板１４６を含む。発光面１４２は、入光面１４１に隣接し、底面１４３は、発光面１４２に相対し、反射板１２０及び１２０’に接続される。それぞれの導光板１４０の入光面１４１は、発光ユニット１３０の光線射出方向に対応し、発光ユニット１３０からの光線を受ける。長辺側１４４は、所定の方向（X方向）に延伸し、短辺側１４５は、長辺側１４４の間に接続される。
【００２４】
拡散粒子１４６は（図６Ａ）、導光板１４０に不規則に分布され、導光板１４０に通過する光を拡散する。拡散粒子１４６が分布される位置は、限定されない。図６Bに表されるように、拡散粒子１４６は、発光面１４２に近接した領域に分布される。或いは図６Cに表されるように、拡散粒子１４６は、底面１４３に近接した領域に分布される。
【００２５】
１つの例示的な実施形態では、導光板１４０の発光面は、複数のパターン化された構造１４７aを含むパターン化された面１４７を含む。具体的に言えば、入光面１４１に平行した断面（Y−Z面）では、パターン化された構造１４７は、LED１３２の光線射出方向（X方向）に連続的に配置されて延伸された複数のレンズ状突出からなる。パターン化された構造１４７によって発光面１４２から射出された光線は、集光されることができるため、光線の集光効果が達成される。
【００２６】
注意するのは、発光ユニット１３０Mまたは１３０Rに隣接した導光板１４０の部分は、チャンバSに設置されている。そのため、反射板１２０の第２部分１２２bの遮蔽によって、発光ユニット１３０Mまたは１３０Rに隣接した導光板１４０の位置で発生したホットスポットの現象は、減少され、画像品質が改善される。また、それぞれの反射板１２０の第２部分１２２bの反射特性により、光線はそれぞれの反射板１２０の第２部分１２２bと導光板１４０との間に形成されたスリットから射出されるのが防止される。
【００２７】
図２及び５を参照すると、ベゼル１１０は、２つの短辺側１１１、底面１１２、及び２つの長辺側１１３を有する長方形のハウジングである。２つの短辺側１１１は、それぞれ２つの長辺側１１３に接続され、底面１１２は、２つの短辺側１１１及び２つの長辺側１１３に隣接する。底面１１２では、間隔を空けて短辺側１１１に平行して一列に配置された複数の位置決め孔１１２aを有する。同様に、他の位置決め孔１１２aは、短辺側１１１に平行して、前記列の位置決め孔１１２aと間隔D２の間隔を開けて他の列に配置される。また同様に、他の位置決め孔１１２aは、短辺側１１１に平行して、隣接の位置決め孔１１２aと間隔D２の間隔を開けて他の列に配置される。
【００２８】
図７を参照すると、ベゼル１１０、反射板１２０と１２０’、導光板１４０は、ボルト１５０によって組み立てられる。それぞれのボルト１５０は、ヘッド部１５１及びシャフト部１５２を含み、ヘッド部１５１の厚さは、ボルト１５０の縦方向に形成され、シャフト部１５２は、中空構造である。シャフト部１５２は、固定部１５２a、貫通部１５２b、及びウエスト部１５２cを含み、ウエスト部１５２cは、固定部１５２aと貫通部１５２bとの間に位置され、且つウエスト部１５２cの幅は、固定部１５２aと貫通部１５２bの幅より大きい。ボルト１５０は、光伝達特性（light
transmission property）を含む党構成を有する樹脂材料で作られ、且つボルト１５０が外力によって内側に収縮された時、弾性的に変形されることができることが好ましい。
【００２９】
組み立てでは、導光板１４０、反射板１２０と１２０’は、ボルト１５０の貫通部１５２bによって順次に貫通され、次いでボルト１５０の貫通部１５２bは、ベゼル１１０の位置決め孔１１２aの１つを通過し、その中に設置される。位置決め孔１１２a間の間隔D２及びD３は、予め設定されるため、反射板１２０または１２０’及び導光板１４０は、ベゼル１１０上に正確に位置付けされることができ、導光板１４０とLED１３０の間の間隔D１が限定されることができる。また、ウエスト部１５２cの幅は、位置決め孔１１２aの幅より大きいため、ウエスト部１５２cが位置決め孔１１２aを通過した後、固定部１５２aは、ベゼル１１０、反射板１２０または１２０’、及び導光板１４０に緊密に結合されるため、反射板１２０または１２０’と導光板１４０との間に空隙が形成されない。
【００３０】
拡散板１６０は、導光板１４０の発光面１４２に対応し、それぞれのボルト１５０のヘッド部１５１の上端に設置されるため、空隙（エアー  ギャップ(air gap)）Gは、導光板１４０の発光面１４２と拡散板１６０の底面１６０aとの間に形成される。よって、過大な入射角度を有する光線は、導光板１４０と空隙（エアー  ギャップ(air gap)）Gのインターフェースで再利用するように屈折され、よって不必要なエネルギー消費を減少することができる。
【００３１】
図８を参照すると、マルチドメインダイナミック駆動バックライトモジュール１００’の実施例２の断面図を表している。マルチドメインダイナミック駆動バックライトモジュール１００との違いは、マルチドメインダイナミック駆動バックライトモジュール１００’の反射板１２５は、一体成形されており、複数の延伸部１２２は、反射板１２５のベース部１２１から上方に延伸する。
【００３２】
図９を参照すると、実施例３の部分的構成要素の概略図を表している。図９では、いくつかの位置決め構成要素２５０が省略されて導光板２４０のスロットを表している。
【００３３】
生産性を高め、且つ製品の品質を確保するために、スロット２４５は、導光板２４０の入光面２４１及び入光面２４１に相対する側面２４３上に予め形成され、位置決め構成要素２５０を通過させる。それぞれのスロット２４５は、ベゼル１１０の位置決め孔１１２aの１つに対応する。入光面２４１上のスロット２４５が形成された位置は、発光ユニット１３０のLED１３２が設置された位置と互いに交差される。
【００３４】
それぞれのスロット２４５は、２つの短辺２４５aと２つの短辺２４５aの間に位置された長辺２４５bを有し、それぞれの長辺２４５bの製造公差W２は、それぞれの短辺２４５aの製造公差W１より大きいため、導光板２４０と位置決め構成要素２５０との間の熱膨張によるダメージは、防止されることができる。
【００３５】
１つの例示的な実施形態では、位置決め構成要素２５０は、ネジであり、ネジ２５０は、導光板２４０及び位置決め孔１１２aを通過し、ベゼル１１０の後方に設置されたナット（図示されていない）に接続され、導光板２４０を位置付ける。
【００３６】
本発明のマルチドメインダイナミック駆動バックライトモジュールの異なる領域に設置された発光ユニットの特性では、個別に制御されることができ、パターン化された表面は、導光板の発光面上に形成され、画面の均一性とコントラスト比を高め、従来技術の欠点が克服される。
【００３７】
この発明は、実施例の方法及び望ましい実施の形態によって記述されているが、本発明は、これらを限定するものではないことは理解される。逆に、種々の変更及び同様の配置をカバーするものである（当業者には明白なように）。よって、添付の請求の範囲は、最も広義な解釈が与えられ、全てのこのような変更及び同様の配置を含むべきである。
【符号の説明】
【００３８】
１０  ベゼル
２０A、２０B、２０C    LED
３０  導光板
１００  マルチドメインダイナミック駆動バックライトモジュール
１１０  ベゼル
１１１  短辺側
１１２  底面
１１２a  位置決め孔
１１３  長辺側
１２０、１２０’、１２５  反射板、
１２１  ベース部
１２２  延伸部
１２２a  第１部分
１２２b  第２部分
１３０L、１３０M、１３０R  発光ユニット
１３１  基板
１３２  LED
１４０、２４０  導光板
１４１、２４１  入光面
１４２、２４２  発光面
１４３  底面
１４４  長辺側
１４５  短辺側
１４６  拡散板
１４７  パターン化された構造
１４７a  レンズ状突出
１５０  ボルト
１５１  ヘッド部
１５２  シャフト部
１５２a  固定部
１５２b  貫通部
１５２c  ウエスト部
１６０  拡散板
１６０a  底面
１７０  第１面
１８０  第２面
２４３  側面
２４５  スロット
２４５a  短辺
２４５b  長辺
２５０  位置決め構成要素
D１、D２、D３  間隔
G  空隙（エアー  ギャップ(air gap)）
L  長さ
S  チャンバ
W１、W２  製造公差
【図１】
2013026225.tif 000003
【図２】
2013026225.tif 000004
【図３】
2013026225.tif 000005
【図４】
2013026225.tif 000006
【図５】
2013026225.tif 000007
【図６Ａ】
2013026225.tif 000008
【図６Ｂ】
2013026225.tif 000009
【図６Ｃ】
2013026225.tif 000010
【図７】
2013026225.tif 000011
【図８】
2013026225.tif 000012
【図９】
2013026225.tif 000013